(57)【要約】【課題】  缶見本を自動販売機の陳列部の取付け板上に低コストかつ簡単な構成で容易に取り付ける。【解決手段】  光導入穴１４を開けてあるアダプタ本体１１には光導入穴１４を挟んで一側にハーフ型の缶見本２を起立状態に保持する対の保持板部１２と、他側で陳列部の取付け板３に取付け穴３１を介して着脱する対の取付け板部１３とを一体成形してあり、保持板部１２はアダプタ本体１１の上面から立ち上がりかつこの上面との間で缶見本２の底部２１を差し込み可能に挟持でき、取付け板部１３はアダプタ本体１１の下面から突出されこの下面との間に取付け板３の取付け穴３１の内周縁部が差し込み可能であって、アダプタ本体と共に、上記内周縁部を押圧的に挟持可能である。【選択図】        図１
2005157548.tif 000002
【特許請求の範囲】
【請求項１】
光導入穴を開けてあるアダプタ本体と、この本体のアダプタ本体に設けてあってこのアダプタ本体の一側でハーフ型の缶見本を起立状態に保持する保持板部と、上記アダプタ本体に設けてあって他側で自動販売機の陳列部の取付け板に取付け穴を介して着脱する取付け板部とを具備しており、
上記保持板部は、上記アダプタ本体との間に上記缶見本の底部が差し込み可能であって、上記アダプタ本体と共に、上記底部を上記保持板部の弾性力で押圧的に挟持可能であり、
上記取付け板部は上記アダプタ本体との間に上記取付け板の取付け穴の内周縁部が差し込み可能であり、上記アダプタ本体と共に、上記内周縁部を上記取付け板部の弾性力で押圧的に挟持可能である
ことを特徴とする自動販売機用の缶見本の取付け用アダプタ。
【請求項２】
保持板部は光導入穴を挟んで配置されているものであることを特徴とする請求項１記載の自動販売機用の缶見本の取付け用アダプタ。
【請求項３】
保持板部は光導入穴を挟んで配置されており、両保持板部がアダプタ本体の上面に設けてあることを特徴とする請求項１記載の自動販売機用の缶見本の取付け用アダプタ。
【請求項４】
保持板部は光導入穴を挟んで配置されており、両保持板部がアダプタ本体の上面より切り起こし状態に設けてあることを特徴とする請求項１記載の自動販売機用の缶見本の取付け用アダプタ。
【請求項５】
取付け板部は間隔をおいて対向して配置されているものであることを特徴とする請求項１、請求項２、請求項３又は請求項４のいずれかに記載の自動販売機用の缶見本の取付け用アダプタ。
【請求項６】
取付け板部は間隔をおいて対向して配置されており、両取付け板部がアダプタ本体の下面に設けてあることを特徴とする請求項１、請求項２、請求項３又は請求項４のいずれかに記載の自動販売機用の缶見本の取付け用アダプタ。
【請求項７】
取付け板部は間隔をおいて対向して配置されており、両取付け板部がアダプタ本体の下面より下方に向けて切り起こし状態に設けてあり、両取付け板部間はアダプタ本体の一部を構成している押さえ部となっており、両取付け板部と上記押さえ部の下面との間で取付け板の取付け穴の内周縁部を挟持することができることを特徴とする請求項１、請求項２、請求項３又は請求項４のいずれかに記載の自動販売機用の缶見本の取付け用アダプタ。
【請求項８】
アダプタ本体の下面に、取付け板の取付け穴の内周縁部に当接可能であるリブ状のストッパを形成してあることを特徴とする請求項１乃至請求項７のいずれかに記載の自動販売機用の缶見本の取付け用アダプタ。
【請求項９】
アダプタ本体の下面に、取付け板の取付け穴の内周縁部に当接可能であるリブ状のストッパを形成してあり、ストッパは光導入穴の内周に沿う円弧状のものであることを特徴とする請求項１乃至請求項７のいずれかに記載の自動販売機用の缶見本の取付け用アダプタ。
【発明の詳細な説明】
【技術分野】
【０００１】
本発明は自動販売機用の缶見本の取付け用アダプタに関するものである。
【背景技術】
【０００２】
従来の自動販売機用の缶見本には本物と同様の丸缶型のものと、水平断面が円形又はほぼ円形のいわゆるハーフ型（半割り型）とがある。いずれのタイプの缶見本でも自動販売機の陳列部の取付け板上に取付け可能とするための缶見本の取付け用アダプタとして、例えば特開２０００−２２２６３６号公報記載のもの（以下「従来の取付け用アダプタ」という。）が提案されている。
従来の取付け用アダプタは、上記公報の図１０〜図１２に示すように、肉厚円板状に形成され、中央部分より前側に半円形の光導入穴が開けられ、光導入穴を囲むように円弧状の係止溝が形成されている。係止溝には飲料の缶見本（公報では「ダミー容器」）の下部に設けてある差込み部が差し込まれ、取付け用アダプタは上記缶見本を起立状態に保持可能のものである。取付け用アダプタの底面には一対の円弧状のマグネットが光導入穴を挟んで対向して取り付けられている。そして従来の取付け用アダプタの底面に上記光導入穴を囲むように筒状の取付け挿入部を設け、この取付け挿入部の外周面に支持突片を水平方向に突出している。
従来の取付け用アダプタを使用して飲料の缶見本を自動販売機の陳列部の取付け板上に取り付けるには、次の二つの場合に分けて行う。
丸缶型缶見本であって、取付け板の取付け穴を利用できる場合では、缶見本の差込み部を取付け用アダプタの係止溝に差し入れて、缶見本の底部に取付け用アダプタを取り付けた状態にしておいてから、取付け用アダプタの取付け挿入部を上記取付け穴に挿入し、缶見本を時計方向に回して、取付け穴の内周縁部を支持突片と取付け用アダプタの底面との間に挟持させ、この結果缶見本は陳列部の取付け板上に起立状態に陳列される。
ハーフ型缶見本であって、取付け板の取付け穴を利用できない場合では、取付け用アダプタの取付け挿入部を上記取付け穴に挿入すると、挿入時点で缶見本の底部のマグネットが取付け穴の上面周辺に接することになるから、マグネットの磁気力によって取付け板上に固定され、この結果缶見本は陳列部の取付け板上に起立状態に陳列される。
【特許文献１】特開２０００−２２２６３６号公報
【発明の開示】
【発明が解決しようとする課題】
【０００３】
従来の取付け用アダプタによると、マグネットを用いて種類の異なる缶見本を取付け板上に陳列することができる利点があるが、マグネットという特殊な部材を用いることはその分だけ製造コストが高くなるばかりではなく構造が複雑となる課題がある。
本発明の目的は、缶見本を陳列部の取付け板上に低コストかつ簡単な構成で容易に取り付けることにある。
【課題を解決するための手段】
【０００４】
本発明の第１の特徴は、光導入穴を開けてあるアダプタ本体と、この本体のアダプタ本体に設けてあってこのアダプタ本体の一側でハーフ型の缶見本を起立状態に保持する保持板部と、上記アダプタ本体に設けてあって他側で自動販売機の陳列部の取付け板に取付け穴を介して着脱する取付け板部とを具備していることにある。上記保持板部は、上記アダプタ本体との間に上記缶見本の底部が差し込み可能であって、上記アダプタ本体と共に、上記底部を上記保持板部の弾性力で押圧的に挟持可能である。上記取付け板部は上記アダプタ本体との間に上記取付け板の取付け穴の内周縁部が差し込み可能であり、上記アダプタ本体と共に、上記内周縁部を上記取付け板部の弾性力で押圧的に挟持可能である。
本発明の第２の特徴は、上記第１の特徴を前提として、保持板部は光導入穴を挟んで配置されているものであることにある。
本発明の第３の特徴は、上記第１の特徴を前提として、保持板部は光導入穴を挟んで配置されており、両保持板部がアダプタ本体の上面に設けてあることにある。
本発明の第４の特徴は、上記第１の特徴を前提として、保持板部は光導入穴を挟んで配置されており、両保持板部がアダプタ本体の上面より切り起こし状態に設けてあることにある。
本発明の第５の特徴は、上記第１、第２、第３又は第４の特徴を前提として、取付け板部は間隔をおいて対向して配置されているものであることにある。
本発明の第６の特徴は、上記第１、第２、第３又は第４の特徴を前提として、取付け板部は間隔をおいて対向して配置されており、両取付け板部がアダプタ本体の下面に設けてあることにある。
本発明の第７の特徴は、上記第１、第２、第３又は第４の特徴を前提として、取付け板部は間隔をおいて対向して配置されており、両取付け板部がアダプタ本体の下面より下方に向けて切り起こし状態に設けてあり、両取付け板部間はアダプタ本体の一部を構成している押さえ部となっており、両取付け板部と上記押さえ部の下面との間で取付け板の取付け穴の内周縁部を挟持することができることにある。
本発明の第８の特徴は、上記第１乃至第７のいずれかの特徴を前提として、アダプタ本体の下面に、取付け板の取付け穴の内周縁部に当接可能であるリブ状のストッパを形成してあることにある。
本発明の第９の特徴は、上記第１乃至第７のいずれかの特徴を前提として、アダプタ本体の下面に、取付け板の取付け穴の内周縁部に当接可能であるリブ状のストッパを形成してあり、ストッパは光導入穴の内周に沿う円弧状のものであることにある。
【発明の効果】
【０００５】
本発明によれば、缶見本を陳列部の取付け板上に低コストかつ簡単な構成で容易に取り付けることができる。
【発明を実施するための最良の形態】
【０００６】
図１〜図２に示す自動販売機用の缶見本の取付け用アダプタ１は、その一側（図左側）で缶見本２を保持した状態で、他側を自動販売機の陳列部における取付け板３に取付け穴３１を介して取り付けられるものである。
【０００７】
図３〜図９において、取付け用アダプタ１は、プラスチックからなるアダプタ本体１１にそれぞれ対の保持板部１２及び取付け板部１３を一体的に成形している。アダプタ本体１１は円板状に形成されており、中央部に光導入穴１４を開けてある。アダプタ本体１１の径は、上記陳列部の取付け板３の取付け穴３１のそれより大きい。
アダプタ本体１１の一側（図３左側）において、保持板部１２が光導入穴１４を挟んで図３上下に対向して配置されている。一対の保持板部１２は、図４に示すようにアダプタ本体１１の上面から切り起こされたように立ち上げられた状態でＬ形に成形されており（図９）、水平部分がアダプタ本体の上面に沿って図４左側に向けて延びている。一対の保持板部１２の水平部分は弾性変形可能であって、アダプタ本体１１の上面との間に隙間１２ａが開けられている。
アダプタ本体１１の他側（図３右側）において、取付け板部１３が間隔をおいて、図３ではアダプタ本体の押さえ部１５を挟んで図上下に対向して配置されている。一対の取付け板部１３は弾性変形可能であり、アダプタ本体１１の下面から下方に切り起こされたように突出された状態でＬ形に成形されている（図９）。取付け板部１３の水平部分がアダプタ本体の下面に沿ってこの下面のレベルより間隔１３ａをもって図４右側に向けて延びている。取付け板部１３の間に対応する位置に押さえ部１５が設けられている。押さえ部１５はアダプタ本体１１の一部であって、その上下各面がアダプタ本体１１の上下各面と同一平面を形成している。押さえ部１５の先端下面に押さえ突起１５ａを設けてある。
また図６〜図８に示すように、アダプタ本体１１の下面には、光導入穴１４を挟んでリブ状のストッパ１６，１７を設けてあり、これらのストッパは図７左右両側に対向して配置されている。各ストッパ１６，１７は光導入穴１４の内周に沿う円弧状に形成されている。各ストッパ１６，１７は、取付け板３の取付け穴３１の大きさによって、図２に示すように取付け穴の内周面に当接可能な場合と、この内周面に接することなく内方に位置する場合とがある。
【０００８】
図１及び図２に示す缶見本２は、透光性を備えている弾性変形可能なプラスチックフィルムからなり、その表面に商品名などの情報が表示されている。缶見本２は、図２に示すように水平断面がほぼ半円状に折り曲げられているハーフ型のものであり、図示の例では全体が半割りの瓶形に成形され、下部に底部２１を設けている。
図１０に示すように、自動販売機の陳列部における取付け板３の取付け穴３１は内周縁部に複数の係合孔部３１ａを形成してある。取付け板３には取付け穴３１を通じて底部に係合部を有する公知の缶見本が着脱可能である。
【０００９】
缶見本の取付け用アダプタ１と缶見本２との関係について説明する。
図１及び図２に示すように、取付け用アダプタ１の両保持板部１２は、アダプタ本体１１の上面との隙間１２ａに缶見本２の底部２１が差し込み可能である。両保持板部１２の下面に差し込まれた缶見本２の底部２１は、両保持板部とアダプタ本体１１の上面との間で保持され、保持板部及び缶見本の底部２１の弾性によって確実に保持される。
缶見本の取付け用アダプタ１と取付け板３との関係について説明する。
取付け板部１３は、アダプタ本体１１の押さえ部１５の下面との間で取付け板３の取付け穴３１の内周縁部に着脱可能である。両取付け板部１３と押さえ部１５との間で取付け穴３１の内周縁部を挟持することにより、図１に示すようにアダプタ本体１１は取付け板３に取り付けられる。取付け板部１３及び押さえ部１５の弾性によって確実に挟持機能が発揮される。
【００１０】
次に缶見本の取付け用アダプタ１の使用法について説明する。
まず、図１及び図４に示すように、缶見本２の底部２１を保持板部１２の隙間１２ａに差込んで、この底部を対の保持板部とアダプタ本体１１とによって押圧的に挟持する。これによって、図１鎖線に示すようにアダプタ本体１１は缶見本２の底部に取り付けられる。次いで、アダプタ本体１１の図１左側部に缶見本２を起立させた状態で、アダプタ本体を傾斜して右側の取付け板部１３の先端部を取付け穴３１の右側縁部と対向させながら取付け板部と押さえ部１５との間に取付け穴の内周縁部を差し込みつつ左側を取付け板上に近付け、水平にすると、図１に示すように取付け板部１３と押さえ部１５との間で取付け穴３１の内周縁部を押圧的に挟持し、缶見本２は自動販売機用の陳列部の取付け板３上へ取り付けられる。
なお、公知の丸缶型の缶見本を取付け板３上に取り付けるには、缶見本の取付け用アダプタ１を使用しない。この場合には、周知の取付け方法として、取付け板３の取付け穴３１の内周縁部の係合孔部３１ａ（図１０）と、上記缶見本の下部に設けてある掛止め部とを利用して缶見本を取付け板上に起立させるものである。
【００１１】
保持板部１２及び取付け板部１３は、図１に示すようにアダプタ本体１１と一体成形でかつ上方及び下方に向けて切り起こし状態に設ける必要がないが、このような構成にすれば、成形が容易となると共に、アダプタ本体の両側部（図左右側部）の弾性力が増す。
保持板部１２及び取付け板部１３は、いずれも対である必要がないが、対とすることによって弾性力が増し、構成が簡単となる。そして保持板部１２及び取付け板部１３は片状であることを要しない。取付け板部１３は図１に示すようにアダプタ本体１１の下面に必ずしも設ける必要はなく、上面に設けても良い。アダプタ本体１１の下面にストッパ１６，１７を設けることによってアダプタ本体の取付け状態が安定し、ストッパを円弧状にすれば安定性の向上に寄与する。
自動販売機用の缶見本２はハーフ型であれば、図示するような半割り瓶形のものに限られず、半割り缶形のものなどその形状は適宜である。
【図面の簡単な説明】
【００１２】
【図１】本発明の第一実施の形態に係る缶見本の取付け用アダプタの使用状態を示す断面図である。
【図２】図１のＩＩ−ＩＩ線断面図である。
【図３】本発明の第一実施の形態に係る缶見本の取付け用アダプタの平面図である。
【図４】図３の正面図である。
【図５】図３のＶ−Ｖ線拡大断面図である。
【図６】図３の右側面図である。
【図７】図３の底面図である。
【図８】図３のＶＩＩＩ−ＶＩＩＩ線断面図である。
【図９】図３のＩＸ−ＩＸ線断面図である。
【図１０】取付け板の取付け穴の一例を示す平面図である。
【符号の説明】
【００１３】
１                      取付け用アダプタ
１１                    アダプタ本体
１２                    保持板部
１２ａ                  隙間
１３                    取付け板部
１３ａ                  間隔
１４                    光導入穴
１５                    押さえ部
１６，１７              ストッパ
２                      缶見本
２１                    底部
３                      取付け板
３１                    取付け穴
【図１】
2005157548.tif 000003
【図２】
2005157548.tif 000004
【図３】
2005157548.tif 000005
【図４】
2005157548.tif 000006
【図５】
2005157548.tif 000007
【図６】
2005157548.tif 000008
【図７】
2005157548.tif 000009
【図８】
2005157548.tif 000010
【図９】
2005157548.tif 000011
【図１０】
2005157548.tif 000012